(57)【要約】【課題】極めて薄型で、フレキシブルな表示部で、高輝度かつ低電圧駆動で低消費電力であり、チラツキも少なく、小型化も大画面化も可能で、特に広視野角となるような単色、2色またはフルカラー表示のできるディスプレイ装置を提供する。【解決手段】電界の印加または電界の変化により形態変化が生じ、導波光を散乱させる電界反応物質を有する層をコアの一部とした光導波路を用い、電界反応物質に電界が印加されるように設けた対電極の電界で電界反応物質を形態変化させることにより、そこを通る導波光を散乱させて、光導波路の外部に画素として出射させるが、その光導波路に出射角調整層を設けること、多孔性膜に電界反応物質を入れることにより、散乱効率を高めて明るい光を外部へ出射させると共に、電極を多段で並列接続にして印加電圧を小さくさせる。【選択図】  図２
2007047723.tif 000002
【特許請求の範囲】
【請求項１】
電界の印加または電界の変化により形態変化が生じ、導波光を散乱させる電界反応物質（２０）を有する層（１０２）をコアの一部とした光導波路（１００）を用い、電界反応物質（２０）を有する層（１０２）に電界が印加されるように設けた対電極の電界で電界反応物質（２０）を形態変化させることにより、そこを通る導波光を散乱させて、光導波路（１００）の外部に画素として出射させるようにしたディスプレイ装置において、該光導波路（１００）または、該光導波路（１００）の外側に、出射角調整層（２００）を設けて、該出射角調整層（２００）により外部への出射光分布が調整できるようにしたことを特徴とするディスプレイ装置。
【請求項２】
出射角調整層（２００）として、光散乱層とした請求項１に記載のディスプレイ装置。
【請求項３】
電界の印加または電界の変化により形態変化が生じ、導波光を散乱させる電界反応物質（２０）を有する層（１０２）をコアの一部とした光導波路（１００）を用い、電界反応物質（２０）を有する層（１０２）に電界が印加されるように設けた対電極の電界で電界反応物質（２０）を形態変化させることにより、そこを通る導波光を散乱させて、光導波路（１００）の外部に画素として出射させるようにしたディスプレイ装置において、電界反応物質（２０）を形態変化させる対電極が複数対重なるように配置してあり、これらの１対ごとの電極を並列接続にして１個の画素を形成するようにし、この画素への印加電圧が少なくて済むようにしたことを特徴とするディスプレイ装置。
【請求項４】
電界の印加または電界の変化により形態変化が生じ、導波光を散乱させる電界反応物質（２０）を有する層（１０２）をコアの一部とした光導波路（１００）を用い、電界反応物質（２０）を有する層（１０２）に電界が印加されるように設けた対電極の電界で電界反応物質（２０）を形態変化させることにより、そこを通る導波光を散乱させて、光導波路（１００）の外部に画素として出射させるようにしたディスプレイ装置において、前記電界反応物質（２０）を多孔性膜中に入れたことを特徴とするディスプレイ装置。
【請求項５】
光導波路（１００）として、電界反応物質（２０）を有する層（１０２）の両側にコア層（１０１A、１０１B）を配置し、更にそのコア層（１０１A、１０１B）の外側にクラッド層（１０３A、１０３B）を配置した構造にした請求項１から４のいずれかに記載のディスプレイ装置。
【請求項６】
対電極の少なくとも一方は透明電極である請求項１から５のいずれかに記載のディスプレイ装置。
【請求項７】
電界反応物質（２０）を動的散乱モード液晶とした請求項１から６のいずれかに記載のディスプレイ装置。
【請求項８】
光導波路（１００）を、独立した2色用もしくは、少なくとも光三原色用の光導波路（１００ｒ、１００ｇ、１００ｂ）の組とし、2色もしくは三原色光をそれぞれの対応した光導波路に導波させることにより、2色表示もしくはフルカラー表示ができるように構成した請求項１から７のいずれかに記載のディスプレイ装置。
【請求項９】
光導波路（１００）に複数の光源からの光を結合させて、光導波路（１００）中の導波光の減衰を補うようにした請求項８記載のディスプレイ装置。
【請求項１０】
2色もしくは、少なくとも三原色光のそれぞれに対応した光導波路のアレーをそれぞれシート状にした光導波路アレーシートを形成して、更にそれぞれの光導波路アレーシートを互いに重ねて2色表示もしくはフルカラー表示ができるように構成した請求項８または９のいずれかに記載のディスプレイ装置。
【請求項１１】
光導波路（１００）への導波光の光源（１５０）を発光ダイオードまたはレーザダイオードとした請求項１から１０のいずれかに記載のディスプレイ装置。
【発明の詳細な説明】
【技術分野】
【０００１】
本発明は  消費電力が少なく、高速応答可能な光輝度で、薄く大画面化可能なディスプレイ装置に関するもので、選択した画素の対電極間に電圧を印加するか、電圧の変化により、その電極間にある当初透明な電界反応物質を濁らせたり、透明にしたりするなどして、ここを通る導波光を散乱させるが、本発明では、特に、導波路コアの外側に設けた散乱層により、外部の観測者から画像が見やすいようにしたこと、電界反応物質自体の散乱強度を強めるための印加電圧が大きくならないで済むようにしたことと、電界反応物質の濁りが容易になるようにしたディスプレイ装置に関するものある。
【背景技術】
【０００２】
従来、薄型のディスプレイ装置の画素として、液晶を光学シャッタとして用い、バックライトからの光を光三原色のフィルタと偏光板を通して出射させるディスプレイ装置があった。また、従来、基板および光導波路としての二枚のガラス基板間に光散乱モードの液晶を封入して、この液晶を含む二枚のガラス基板を光導波路とし、これらのガラス基板の界面で反射する導波光を光散乱モードの液晶で散乱させて、画素表示するディスプレイ装置があった（特開平１１−１０９３４９）。また、従来、本発明者は、光導波路に電界反応物質（例えば、動的散乱モード液晶）をコアの一部とし、ここを通る導波光を電界印加またはその変化により散乱させて、外部に出射光を取り出す形のディスプレイ装置を発明した（特願２００２−０４６８７６、ＰＣＴ／ＪＰ２００３／００１８６７、国際公開番号  ＷＯ２００３／０７１３４１）。
【特許文献１】特開平１１−１０９３４９
【特許文献２】国際公開番号  ＷＯ２００３／０７１３４１
【発明の開示】
【発明が解決しようとする課題】
【０００３】
従来の液晶を光学シャッタとして用いるディスプレイ方式では、バックライトからの光が液晶シャッタを通して出射すること、しかも偏光板を用いているので、見る人の角度依存性が大きく画面が見難いという問題と、カラーフィルタや偏光板など複雑な構造であるから薄型が困難で、しかも高価にならざるをえなかった。
【０００４】
また、従来の光導波路としての二枚のガラス基板間に光散乱モードの液晶を封入したディスプレイ方式（特開平１１−１０９３４９）では、機械的な駆動部を持たず信頼性が高いが、液晶を挟む二枚のガラス基板を光導波路としており、第１に、基板として二枚のガラス基板を用い、しかもこれらを光導波路として使用しているから、ガラス基板が支持基板となり厚くならざるを得ないので、薄く微細な光導波路の形成が困難であること、第２に、同一の導波路を三原色の光が導波されるように形成してあり、フルカラー表示のために一箇所の液晶画素を三原色光が使用するために発光と同期させて画素部を散乱モードとさせるようにしており、従来の画素数に対して３分の１の画素数で済むが、画像を見るには輝度が必要で、一つの画素が一瞬光るだけでは暗く、順次駆動される複数の画素から同時に出射光がないとチラツキとが大きく、かつ、一瞬の残像を利用するだけなので高輝度の画面が得られがたいという問題があった。第３に、基板として二枚のガラス基板を用いているので硬く、フレキシブルな画面の画像表示部となることは困難で、かつ衝撃に弱いという問題があった。更に、二枚のガラス基板がコアであるため、光導波路のコアが外部に露出しているため、表面へのゴミや塵などの異物が付着するとそこから導波光の漏光が存在し、画像の品位が悪くなるために、何らかの処置が必要であった。
【０００５】
また、先に本発明者が提案した光導波路に電界反応物質をコアの一部とし、ここを通る導波光を電界印加またはその変化により散乱させて、外部に出射光を取り出す形のディスプレイ装置（特願２００２−０４６８７６、ＰＣＴ／ＪＰ２００３／００１８６７、国際公開番号  ＷＯ２００３／０７１３４１）においては、電界反応物質として、例えば動的散乱モード液晶を用い、この層を一つのコアとして利用しているので、この外側のクラッド層から外部に出射される光（出射光）は、実験の結果、通常使用している液晶厚みに対する濁りのための印加電圧（実際は、印加電界）では、動的散乱モード液晶からの光散乱角度があまり大きくないことが判明した。このために出射光の大部分は、観測者がいる空気の層への屈折角が大きくなって出射し（クラッド層にほぼ平行になるような角度で出射してしまう）、このクラッド層に垂直な成分の光が乏しくなるため正面にいる観測者は、ほとんど出射光を観測できないという問題があった。更に詳述すると、実験によれば、電界反応物質（２０）として動的散乱モード液晶を用いた場合、光導波路（１００）を導波される光（導波光）が対電極で電界が印加されて濁った動的散乱モード液晶で散乱されるが、その散乱角度が光導波路（１００）内の伝搬方向からのずれとして余り大きくないので（弱い電界では１０度程度の角度）、光導波路（１００）を構成するクラッド層から観測者がいる空気層に屈折して外部に出射される角度、すなわち屈折角（この場合、出射角となる）が、90度に近い成分（クラッド層に平行に近い成分）が多く、出射角がほぼゼロの成分（クラッド層に垂直な成分）の出射光が少ないために、正面からディスプレイ装置の画面を見るとほとんど画像が観測されないという問題があった。
【０００６】
本発明は、従来の上述の問題を解決するためになされたもので、極めて薄型で、フレキシブルなディスプレイ装置で、輝度が高く、かつ高速応答可能で、消費電力と印加電圧が小さく、チラツキも少なく、更に小型化も大面積化も可能で、特に広視野角であり、しかも安価で、単色、2色またはフルカラー表示のできるディスプレイ装置を提供することを目的とする。
【課題を解決するための手段】
【０００７】
上記の目的を達成するために、本発明の請求項１に係わるディスプレイ装置は、本発明者が先に発明したディスプレイ装置、すなわち、電界の印加または電界の変化により形態変化が生じ、導波光を散乱させる電界反応物質２０を有する層１０２をコアの一部とした光導波路１００を用い、電界反応物質２０を有する層１０２に電界が印加されるように設けた対電極の電界で電界反応物質２０を形態変化させることにより、そこを通る導波光を散乱させて、光導波路１００の外部に画素として出射させるようにしたディスプレイ装置において、その光導波路１００またはこの光導波路１００のその外側に、出射角調整層２００を設けて、その出射角調整層２００により外部への出射光分布が調整できるように構成したものである。
【０００８】
本発明によれば、光導波路１００のコア層かクラッド層、またはその外側に、例えば、凹凸や回折格子を有する膜からなる出射角調整層２００を形成してあるので、例えば、観測者のいる空気中の特定の方向や広視野角となる方向に出射光を出させることができるようになる。したがって、ディスプレイ装置の正面の観測者も画像を見ることができる。
【０００９】
また、本発明の請求項２に係わるディスプレイ装置は、出射角調整層２００として、光散乱層とした場合である。出射角調整層２００として、一層ばかりでなく多層にすることもできるし、また、特定の方向に有効に出射するように調整した光散乱層とした場合である。この出射角調整層２００は、更に、回折格子や凹凸によるか、更には液晶層などで、電界により特定の方向に出射光を強めるように制御することもできる。
【００１０】
また、本発明の請求項３に係わるディスプレイ装置は、電界の印加または電界の変化により形態変化が生じ、導波光を散乱させる電界反応物質２０を有する層１０２をコアの一部とした光導波路１００を用い、電界反応物質２０を有する層１０２に電界が印加されるように設けた対電極の電界で電界反応物質２０を形態変化させることにより、そこを通る導波光を散乱させて、光導波路１００の外部に画素として出射させるようにしたディスプレイ装置であって、電界反応物質２０を形態変化させる対電極が複数対重なるように配置してあり、これらの１対ごとの電極を並列接続にして１個の画素を形成するようにし、この画素への印加電圧が少なくて済むようにした場合である。
【００１１】
電界反応物質２０として、動的散乱モード液晶を用い、その厚みが２０μｍ程度のときは、４０V程度の電圧を対電極に印加しないと、この動的散乱モード液晶での導波光の散乱角が大きくならず、外部の観測者が正面から画素を観測することが困難である。したがって、例えば、１０V程度の印加電圧で外部の観測者がディスプレイ画面を正面から見るためには、１画素として動的散乱モード液晶の対電極を、同一の場所で多段に重ねて、２０μｍの厚みの動的散乱モード液晶内に配置し、例えば、４段にして、これらを並列接続しておけば、対電極ごとに１０Vの印加電圧で済むことになる。
【００１２】
動的散乱モード液晶の対電極を、同一の場所で多段に重ねて１画素として利用するには、種々の方法があるが、例えば、透明な画素として利用するための対となる透明電極を形成したコア薄膜を多層に重ね、それぞれの間に動的散乱モード液晶を挿入するようにしても良いし、多孔性の薄膜を多層にし、多孔の各孔に電極が各層ごとに顔を出すように構成して、更に、それらの電極が対となるような形で並列接続しておき、この孔に動的散乱モード液晶が入るようにして、それぞれの対電極には小さな印加電圧でも濁るように構成しても良い。
【００１３】
また、本発明の請求項４に係わるディスプレイ装置は、電界の印加または電界の変化により形態変化が生じ、導波光を散乱させる電界反応物質２０を有する層１０２をコアの一部とした光導波路１００を用い、電界反応物質２０を有する層１０２に電界が印加されるように設けた対電極の電界で電界反応物質２０を形態変化させることにより、そこを通る導波光を散乱させて、光導波路１００の外部に画素として出射させるようにしたディスプレイ装置において、電界反応物質２０を多孔性膜中に入れた場合である。
【００１４】
多孔性膜としては、少なくとも、その光導波路１００を通る導波光に対して透明である材料で構成した方が良い。また、多孔の各孔を１画素として、その導波光の色を代表するセルとして使用することもできるし、微細な多孔の直径の場合は、複数個の孔をまとめて、１画素のセルとして利用しても良い。もちろん、単色のディスプレイの場合は、１セルが１画素に対応する。
【００１５】
電界反応物質２０として、動的散乱モード液晶を使用したときには、動的散乱モード液晶の屈折率と多孔性膜の屈折率とを一致させておくと、通常の電圧を印加しないとき（電圧を印加して、濁るタイプの場合）には、この領域を通過する導波光は、散乱を受けないで導波される。また、多孔性膜の孔に沿って液晶が配向していると一層透明になる。しかし、電圧を印加して、液晶を濁らせると液晶の屈折率も多少変化するために、多孔性膜の孔側面と液晶との間でも散乱が生じ、濁りが激しくなり、ここでの散乱角度も大きくなるので、外部の観測者は、明るい画素を見ることができる。
【００１６】
また、本発明の請求項５に係わるディスプレイ装置は、光導波路１００として、電界反応物質２０を有する層１０２の両側にコア層１０１A、１０１Bを配置し、更にそのコア層１０１A、１０１Bの外側にクラッド層１０３A、１０３Bを配置した構造の場合である。この場合、導波光は、電界反応物質２０を有する層１０２を横切り、これを挟むコア層１０１A、１０１Bとクラッド層１０３A、１０３Bの界面で全反射しながら伝搬することになる。コア層１０１A、１０１Bを伝播する導波光のクラッド層１０３A、１０３Bの界面で全反射角度が大きくなるので、その分、電界反応物質２０での電界印加による濁りが激しくなり、散乱角が大きくないと、全反射により外部の観測者が居る空気への出射光がなくなり、画素を観測できなくなる。もちろん、電界反応物質２０が電界により反応して、例えば、濁らなければ、光導波路１００の外側には洩れないので、外部の観測者は、画像を見ることができない。しかし、電界により電界反応物質２０が濁れば、そこで散乱光が発生するので、クラッド層またはその外側に出射角調整層２００を設けた場合には、その散乱角度が小さくとも散乱光がクラッド層に入射し、クラッド層またはその外側に設けた出射角調整層２００で散乱されて、外部の観測者の目に入ることになり、画像として見ることができる。また、上述の多孔性膜を利用した場合には、必ずしも出射角調整層２００がなくとも、多孔性膜中での液晶の散乱効率が上昇するので、ディスプレイ画面の外部正面で、画素からの明るい出射光を観測することができる。
【００１７】
また、本発明の請求項６に係わるディスプレイ装置は、対電極の少なくとも一方は透明電極であるようにした場合で、ITO膜のような透明伝導膜を用いると、その箇所で散乱された散乱光が有効に外部に取り出すことができる。また、一方の電極をアルミニウムや金の電極とし、ミラーと兼用にすると、反対側に出射した光を有効に観測者側に出射させることもできる。
【００１８】
また、本発明の請求項７に係わるディスプレイ装置は、電界反応物質２０として、液体やゲル状物質の中に比重を調整した有機や無機の透明で屈折率の異なる微粒子を混ぜた懸濁液で電界により透明になったり、不透明になったりする物質、更には電界により体積変化をしてコアの寸法を変化させて、やはり導波光を散乱させるようにした物質にしてもよいが、ここでは動的散乱モード液晶とした場合である。動的散乱モード液晶は、電界を印加したときに濁るタイプと、逆に電界を印加しないときに濁っていて、電界を印加したときには透明になるタイプがあり、どちらでも利用できる。また、動的散乱モード液晶に電界を印加するための一対の電極も、動的散乱モード液晶（電界反応物質２０を有する層１０２）に対して同一の側に配置をしても良いし、動的散乱モード液晶の層を挟んで対向する位置に配置をしても良い。
【００１９】
また、本発明の請求項８に係わるディスプレイ装置は、光導波路１００を、独立した2色用もしくは、少なくとも光三原色用の光導波路１００ｒ、１００ｇ、１００ｂの組とし、2色もしくは三原色光をそれぞれの対応した光導波路に導波させることにより、2色表示もしくはフルカラー表示ができるように構成した場合である。
【００２０】
アレー状に配列形成されている光導波路１００を、2色用の独立した光導波路、例えば、赤色用光導波路１００ｒと緑色用光導波路１００ｇの組、または光三原色用の独立した光導波路１００ｒ、１００ｇ、１００ｂの組とし、2色または三原色光をそれぞれに対応した光導波路１００に導波させることにより、2色表示またはフルカラー表示ができるように構成した場合である。例えば、赤色（Ｒ）と緑色（Ｇ）の2色光、または三原色光である赤色（Ｒ）、緑色（Ｇ）と青色（Ｂ）の発光ダイオード（ＬＥＤ）、レーザダイオード（ＬＤ）や有機ＥＬなどからの光をそれぞれ対応した２色光用の独立した光導波路１００ｇ、１００ｒ、または光三原色用の独立した光導波路１００ｒ、１００ｇ、１００ｂに導き、上述のように、対電極間に挟まれた電界反応物質２０の電圧印加による電界で形態変化させて、そこからそれぞれの導波光を散乱させて各画素形成してカラー表示させるものである。フルカラー表示では、光三原色に対応する表示部の３つのセルを１つの画素として用い、それぞれのセルからなる画素からの出射光は、それぞれのセルに対応したカラー画像信号により電界反応物質２０の形態変化の度合いによる散乱光強度を調整して、その輝度を調整させる。２色光用の独立した光導波路１００ｇ、１００ｒまたは光三原色用の独立した光導波路１００ｒ、１００ｇ、１００ｂの組を近接配置して、2色または三原色のセルを組として画素を構成し、それらの輝度調整により画素の色を表現する2色表示またはフルカラー表示方式に係わる技術は、公知の従来技術が利用できる。
【００２１】
また、本発明の請求項９に係わるディスプレイ装置は、光導波路１００に複数の光源からの光を結合させて、光導波路１００中の導波光の減衰を補うようにした場合である。少なくとも導波光に対して透明で、また、少なくとも二重のコア層１０１A、１０１Bを設けているが、それらに挟まれている電界反応物質２０を有する層１０２は、電界反応物質２０として動的散乱モード液晶を用いた場合には、透明性が悪く、更に、電界印加により濁った場合には、もちろん、不透明になるので、導波光の減衰が激しくなる。これを補うためにその導波路に導波している光と同質の光（同一の波長、または近接した波長の光）を光導波路１００の途中からも光導波路１００に導入できるように、同質の波長の光源から光導波路１００に、カップリングさせるようにした場合である。カップリングの仕方は、光導波路１００に方向性カップリング用の光導波路を接続するように新たに設けて、その新たな方向性カップリング用の光導波路内にミラーを設けてカップリングさせても良い。また、回折格子によるカップリングなどでも良い。
【００２２】
また、本発明の請求項１０に係わるディスプレイ装置は、2色もしくは、少なくとも三原色光のそれぞれに対応した光導波路のアレーをそれぞれシート状に形成した光導波路アレーシートを作成しておき、更にそれぞれの光導波路アレーシートを互いに重ねて2色表示もしくはフルカラー表示ができるように構成した場合である。すなわち、これらの2色光用の独立した、例えば光導波路１００ｇ、１００ｒの組や光三原色用の独立した光導波路１００ｒ、１００ｇ、１００ｂの組は、同一基板上に交互配置の並列で直線状になるように並べて形成しても良いが、ここでは、特に、それぞれの独立した光導波路１００ｇ、１００ｒの組や光三原色用の独立した光導波路１００ｒ、１００ｇ、１００ｂの組のうち、それぞれの光導波路アレーを光導波路アレーシートとした場合である。この場合、2色もしくは3色の光源をそれぞれのシートにある光導波路アレーに直結できるので、独立に形成できると共に、仕上がりの良い光源付の光導波路アレーシートだけの組み合わせでディスプレイ装置ができるので、歩留まりの良く、安価なディスプレイ装置が提供できると共に、異なる色を同一箇所に画素として重ねることができるので、高密度画素のディスプレイ装置が達成できる。
【００２３】
また、本発明の請求項１１に係わるディスプレイ装置は、光導波路１００への導波光の光源１５０を発光ダイオードまたはレーザダイオードとした場合である。
【００２４】
ディスプレイ装置を静止画像はもちろんのこと、動画であるテレビなどへ応用したときには、画素として瞬時に導波光を散乱させて直ぐ消すと、出射光の時間が少なすぎて画面が暗くなってしまう。そのためには、次の画素が選択されても、しばらく散乱光を出射させておく必要がある。同一の光導波路１００に形成された複数の画素のセル部から同時に散乱光を出射させると導波光が弱くなるので、同時に出射している画素数に応じて光源の光パワーを調整させたり、出射時間を長めたりして、同時選択画素数に無関係に所望の均一な画素の明るさが得られるように制御するとよい。
【発明の効果】
【００２５】
以上のように、本発明によれば、電界の印加または変化により形態変化させて導波光を散乱させる電界反応物質２０を有する層１０２をコアの一部とした光導波路１００としており、対電極の電界で電界反応物質２０を、例えば濁らせて、ここを通る導波光を効率よく散乱できること、更に光導波路１００の外部に出射させるときに、出射角調整層２００により外部への出射光分布を調整できるので、散乱光を外部の観測者のいる方向に有効に出射させることができるという利点がある。
【００２６】
また、本発明によれば、透明な薄いプラスチック板などを光導波路のクラッド部やコア部として用いることができると共に、支持基板として役立てることもできるので、フレキシブルで極めて薄いディスプレイ装置が提供できる。
【００２７】
また、薄い光導波路に設けた一対の電極の位置に近接した薄い出射角調整層２００の一部を画素として散乱光を出射させるので、従来のバックライトを用い、液晶を偏光板と組み合わせ、光シャッタとして用いた場合とは異なり、広視野角、または特定の方向へ出射光を有するディスプレイ装置が提供できる。
【００２８】
また、本発明によれば、１画素の位置で、並列接続された対電極が重なるように配置されて、動的散乱モード液晶などの電界反応物質２０の厚み方向に分割された対電極となっているので、それぞれの対電極に印加する電圧が少なくて済む。従って、低電圧駆動で導波光の大きな散乱角が得られるので、ディスプレイ画面の正面でも明るい出射光が観測されるという利点がある。
【００２９】
また、本発明によれば、屈折率を合わせた透明な多孔性膜に電界反応物質２０が入れることができるので、導波光に対して、透明性と散乱性との比率を大きくすることができて、高効率で散乱ができるからコントラストの大きいディスプレイ装置が提供できる。
【００３０】
また、単色はもちろんのこと、2色または、少なくとも三原色光をそれぞれの対応した光導波路１００に導波させることにより、2色表示またはフルカラー表示もできる。三原色光である赤色（Ｒ）、緑色（Ｇ）と青色（Ｂ）の発光ダイオード（ＬＥＤ）やレーザダイオード（ＬＤ）などの光源からの光を薄い光導波路を通して画素部に供給しており、更に偏光板やカラーフィルタが不必要で、かつ、導波されている光を直接散乱光として外部に出射できるので、導波光の利用率が向上して効率が良いこと、更に薄型にできることから、明るい画像で、シート状の薄型の表示部を有するフレキシブルで安価なディスプレイ装置が提供できる。
【００３１】
また、フルカラーディスプレイにおいて、赤色（Ｒ）、緑色（Ｇ）と青色（Ｂ）の三原色光の光導波路は独立に形成してあり、また、それぞれに三原色光専用の独立なセルからなる画素が表示できるようにしているので、順次駆動方式でありながら、次の画素部が選択されていても、時間調節によりその前の画素部からも同時に出射光があるように調節できる。従って、チラツキが極めて少ない、しかも明るいディスプレイ装置が提供できる。
【００３２】
また、2色もしくは3色の光源をそれぞれのシート（光導波路アレーシート）の対応する光導波路に直結させて組み込み、しかも、例えば、光源としてのＬＥＤのうち、良品だけを組み込むことができるので、歩留まりが良く、薄く安価なディスプレイ装置が提供できるという利点がある。
【００３３】
また、光導波路のコアとして、導波光を散乱させる電界反応物質２０を有する層１０２の他に、伝搬光に対して極めて透明で明るいコアも設けていること、更に、導波光の減衰を補うように光補給用光導波路を設けて画素を作る光導波路に導波光と同質の波長の光を補給できることから、たとえ、電界反応物質２０を有する層（１０２）が導波光に対して、それほど透明でなくとも、光導波路での損失は少なく大画面表示にも適するようにできるという利点がある。
【００３４】
光源１５０を発光ダイオードまたはレーザダイオードとしているので、単色光が得られやすく、小型で高効率のディスプレイ装置が提供できる。
【発明を実施するための最良の形態】
【００３５】
以下、本発明のディスプレイ装置の実施例について、図面を参照して詳細に説明する。  
【実施例１】
【００３６】
図１は、従来のディスプレイ装置（例えば、特願２００２−０４６８７６、ＰＣＴ／ＪＰ２００３／００１８６７）の光三原色用の独立した光導波路１００ｒ、１００ｇ、１００ｂのうち、青色用の光導波路１００ｂを有するシート状の表示部５００の断面構造図を示す実施例である。ここでは、マリックス状に配置された電極配線のうち交点となる対電極としての透明電極３０ｂと電極４０ｂのうち、選択した対透明電極３０bij（i行ｊ列）と電極４０bijに電圧が印加されて、電界反応物質２０としての動的散乱モード液晶に電界が印加されているために、形態変化として濁った状態であり、導波光としてコア層（１０１A、１０１B）を伝搬していた、例えば、青色光が画素３５となる散乱光として外部に放射されているが、大きな印加電圧にしないと、出射角度qが大きく、ほぼクラッド層（１０３A）に平行に近い成分が主体で偏った方向にのみ出射されている状態を示している。なお、透明電極30ｂと電極40ｂにおける添字ｂは青色用を表す。このような場合、クラッド層（１０３A）から観測者が居る空気層に出射する散乱光は、ディスプレイ装置の画像表示部の正面方向に居る観測者の目には出射光が届かず、画像が見えないでしまうという問題が生じていた。
【００３７】
図２は、本発明のディスプレイ装置における光三原色用の独立した光導波路１００ｒ、１００ｇ、１００ｂのうち、青色用の光導波路１００ｂを有するシート状の表示部５００の断面概略構造図を示す一実施例である。この実施例は、上述の図1に示した光導波路１００の構造のクラッド層（１０３A）に、出射角調整層２００を配した場合である。すなわち、光導波路１００として、電界反応物質２０を有する層１０２（例えば、動的散乱モード液晶の層）を挟むように2層のコア層（１０１A、１０１B）を配置し、その外側をクラッド層（１０３A、１０３B）で覆い、更に、観測者が居る側のクラッド層１０３Aに導波光を散乱させる光散乱層としての薄い出射角調整層２００を配した場合である。ここでは、出射角調整層２００として、数μｍから数百μｍ径の微粒子、回折格子または半円球の凹凸などからなる光散乱層とした場合であり、しかも、クラッド層１０３Aの表面を直接加工して光散乱層とした場合である。  この場合、電界反応物質２０としての動的散乱モード液晶の層で、その電界印加により散乱されてクラッド層１０３Aに入ってきた導波光が、出射角調整層２００で更に散乱されるので、ディスプレイ装置の画像表示部の正面方向に居る観測者の目に散乱光が届き、画像として見ることができる。
【００３８】
詳述すると、上述の図1に示す従来の実施例と同様にし、マリックス状に配置された電極配線のうち交点となる対透明電極３０ｂと電極４０ｂのうちの画素３５となる選択した対透明電極３０bijと電極４０bijに電圧を印加して、電界反応物質２０としての動的散乱モード液晶に電界が印加されているために、形態変化として濁った状態であり、導波光としてコア層（１０１A、１０１B）を伝搬していた、例えば青色光が散乱光としてクラッド層（１０３A）に入射するが、図２に示す一実施例のディスプレイ装置においては、出射角調整層２００がクラッド層（１０３A）に形成されているので、ここで更に散乱されて、例えば、この表示部の正面に居る観測者の目にもその散乱光が入り、画像または画素として認識される。
【００３９】
図１および図２において、電界反応物質２０を有する層１０２としての動的散乱モード液晶の層は、２０μｍ（マイクロメートル）程度の厚みでよく、その両側のコア層１０１A、１０１Bは、それぞれ、やはり２０μｍ程度の厚みで、その両側のクラッド層（１０３A、１０３B）の厚みのうち、少なくとも観測者が居る側のクラッド層１０３Aは、数μｍから１０μｍ程度と薄くする。これらの層が厚いと、その分、実質的な画素となる出射角調整層２００での散乱光が出射する部分の面積が大きくなると共に、導波光を散乱させた対電極部分から遠のくことになり、画像がボケる原因になる。
【００４０】
なお、観測者とは反対側にあるクラッド層１０３Ｂの外側には、伝搬している青色光のみを吸収するための吸収膜３００が形成されている。これは、裏側からの散乱光の反射光があると、画像が二重に見えたり、滲んだりすることを防ぐためである。また、2色以上のカラー表示をする際に、光導波路１００をアレーにした光導波路アレーシートを重ねるが、このときも他の光導波路アレーシートからの発光色が吸収されないように伝搬している波長の光のみを吸収するための吸収膜３００が大切である。また、このような吸収膜300が存在するときには、吸収膜３００側のクラッド層１０３Ｂの厚みは大きくして、フレキシブルなプラスチックとして、支持基板として利用しても良い。
【００４１】
上述の実施例では、透明電極３０ｂと電極４０ｂとを区別したが、電極４０ｂも透明電極でももちろん良い。透明電極としては、ＩＴＯ薄膜や酸化スズ膜などを０．１−０．３μｍ厚程度の薄くスパッタリング形成などで作成できる。また、電極４０を不透明とする時にはアルミニウムや金などを用い、光反射させるような薄膜にしても良い。
【実施例２】
【００４２】
図３は、本発明のディスプレイ装置に関し、上述の図2に示す実施例１における出射角調整層２００として、数μｍから数百μｍ径の微粒子、凹凸などからなる光散乱層とした場合で、しかも、クラッド層１０３Aの表面を加工して光散乱層とした場合であり、表示部５００の光導波路１００（青色用の光導波路100ｂとして使用）に形成した出射角調整層２００付近の拡大した断面概略図を示す一実施例である。  ここでは、コア層１０１Ａを伝搬している青色の導波光が、選択されて電圧印加した電極付近の電界反応物質２０で散乱されて、散乱光としてクラッド層１０３Aに入り、その表面に形成されている出射角調整層２００である光散乱層で散乱光として観測者が居る外部（空気中）に出射している様子を示している。なお、外部の光が出射角調整層２００で散乱して、内部からの画像としての光を観測し難くする、すなわち、コントラストが悪くなるので、出射角調整層２００の表面に公知の多層膜などからなる無反射膜２１０を形成してある。
【実施例３】
【００４３】
上述の実施例２においては、出射角調整層２００として、クラッド層１０３Aの表面に直接加工して光散乱層とした場合であったが、図4には、クラッド層１０３Aの表面に、シート状にした光散乱層を接着した場合の一実施例の概略図を示す。また、出射角調整層２００として回折格子をシートに形成して、クラッド層１０３Aに接着しても良い。
【実施例４】
【００４４】
図５は、本発明のディスプレイ装置に関し、上述の実施例１における図2に示す出射角調整層２００として、液晶を用いた場合の一実施例の概略図であり、透明電極２３０に電圧を印加して液晶の分子を配列させて、回折効果などにより特定方向に強く放射させることができるようにした場合である。上述の実施例２における図３との違いは、図３では、クラッド層１０３Aに直接、出射角調整層２００としての光散乱層を形成し、電界など印加しなくとも最初から濁っているのに対して、図５に示す実施例では、電界で液晶分子が高速に配列できることを利用するので、クラッド層１０３Aの表面に、最初から濁っていてもよいが、電界を印加したときに液晶の分子配列が変化し、例えば、回折的効果で特定方向に光を出射させたり、散乱角を大きくさせた場合である。更に、動的散乱モード液晶を利用して、画素となる部分の各電極に対応して分割電極を出射角調整層２００に形成しておき、各画素への電圧印加と同期して、分割電極にも電界印加により濁らせて、外部への散乱光を出射させることもできる。なお、一方の透明電極２３０は透明な薄いプラスチック板などからなるカバー２５０に形成しておき、対となる透明電極２３０間に液晶を封入するようにしている。
【実施例５】
【００４５】
図６は、本発明のディスプレイ装置に関し、上述の図2に示す実施例１における出射角調整層２００として、半円球の凹凸からなる光散乱層とした場合で、しかも、クラッド層１０３Aの表面に半円球の凹凸を設けた場合であり、表示部５００の光導波路１００のうち、青色用の光導波路１００ｂに形成した出射角調整層２００付近の拡大した断面概略図を示す一実施例である。半円球の凹凸は、導波光の波長と同程度であると外部からの光も散乱してしまい、画像としての内部からの光が見え難くなり、コントラストが悪くなると言う問題がある。このために、半円球の半径は数百ミクロンメートル程度に大きくした方が良い。また、クラッド層１０３Aで凹凸の形成されていない層は、数マイクロメートル程度の薄い方が良い。この図６の実施例では、無反射膜２１０を描いていないが、無反射膜２１０を取り付けても良い。
【実施例６】
【００４６】
図７は、本発明のディスプレイ装置における光三原色用の独立した光導波路１００ｒ、１００ｇ、１００ｂのうち、青色用の光導波路１００ｂを有するシート状の表示部５００の断面概略構造図を示す一実施例である。この実施例は、電界反応物質２０を形態変化させる対電極（透明電極）３０ｂと４０ｂとを複数対、重なるように配置してあり、これらの１対ごとの電極を並列接続にして１個の画素３５を形成するようにし、この画素３５部への印加電圧が少なくて済むようにした場合である。本実施例では、電界反応物質を有する層１０２として、上部のコア層１０１Aと下部のコア層１０１Bとの間に、やはり透明なコア層１０１A、１０１Bと同等な膜を用意して、そこに１対となる電極（透明電極）３０ｂと４０ｂを、電界反応物質２０としての、例えば、動的散乱モード液晶を挟んだ構造とした場合であり、上部のコア層１０１Aと下部のコア層１０１Bの外側に、クラッド層１０３A、１０３Bを形成した場合である。
【００４７】
図７では、選択した画素３５となる部分の対電極部となる透明電極３０ｂijと電極４０ｂの部分が3つの対電極に分割されて対電極間が狭くなっており、それぞれの対電極が並列接続されているので、選択された透明電極３０ｂijと電極４０ｂの部分のそれぞれの並列接続された垂直選択線端子５５と水平選択線端子６５との間に電圧を印加することにより、電界反応物質２０としての動的散乱モード液晶に低い電圧でも大きな電界が発生して、大きな形態変化（ここでは、濁らせる）を得ることができる。したがって、そこを伝搬している青色光が散乱されて、散乱光として外部に出射するが、同一の青色の画素３５（または、フルカラーディスプレイの三原色光に対しては、画素を形成するセルとなる）が、三重段の並列接続された狭い対電極間の濁り部で強く散乱されるので、導波光の散乱強度が増すと共に、散乱角度が大きくなるから、表示部５００の正面の観測者からも画素としての明るい出射光を観測できる。  
【００４８】
図8は、上述の図７に示した実施例と同様であるが、違いは、図７の実施例では、液晶ディスプレイ駆動方式として、垂直選択線５０と水平選択線６０とを電極として用い、その交差する箇所を対選択する電極とする、所謂、単純マトリックス型であったが、図8の実施例では、ＴＦＴ（ここでは、図示していない）を用いた公知のアクティブマトリックス駆動方式を用いるために、各対電極３０ｂ、４０ｂを独立に形成した場合である。対電極３０ｂ、４０ｂとも透明電極である。選択する画素３５に対応する垂直選択線端子５５と水平選択線端子６５間にＴＦＴを通して電圧を印加して、三重に並列接続されて重なった対電極３０ｂij、４０ｂij間にある電界反応物質２０としての動的散乱モード液晶が濁り、青色の導波光が散乱光として、外部に出射している場合である。
【００４９】
図７と図８における実施例では、上部のコア層１０１Aと下部のコア層１０１Bの外側にクラッド層１０３A、１０３Bを形成した場合であったが、必ずしもクラッド層１０３A、１０３Bが形成されていなくとも良いし、また、クラッド層１０３A、１０３Bを形成して、そこに、上述の実施例の如く出射角調整層２００を形成しても良い。
【実施例７】
【００５０】
図9は、本発明のディスプレイ装置における光三原色用の独立した光導波路１００ｒ、１００ｇ、１００ｂのうち、青色用の光導波路１００ｂを有するシート状の表示部５００の断面概略構造図を示す一実施例で、多孔性膜１３０の孔１３５に電界反応物質２０としての動的散乱モード液晶を入れた場合である。多孔性膜１３０の孔１３５は、２０マイクロメートル程度の透明なプラスチック膜に細い貫通孔としての多孔を形成した場合である。多孔性膜１３０の屈折率は、電界が印加されていないときには、導波光が散乱されないように動的散乱モード液晶と屈折率を等しくした方が良い。選択された対透明電極３０ｂijと電極４０ｂに電圧が印加されて、その間にある電界反応物質２０としての動的散乱モード液晶が濁り、導波光が散乱光として外部に出射し、画像の一画素３５として外部で観測される。
【００５１】
図１０に示す実施例において、図9に示す実施例との違いは、図9では、多孔性膜１３０として細い貫通孔の場合であったが、図１０では、ランダムな多孔を有する場合である。この図１０に示す実施例では、電界反応物質２０としての動的散乱モード液晶を多孔性膜１３０に含浸させると良い。図9に示す実施例と同様に、多孔性膜１３０は、電界が印加されていないときには、導波光が散乱されないように動的散乱モード液晶と屈折率を等しくした方が良い。そして、選択された対透明電極３０ｂijと電極４０ｂに電圧が印加されたときには、電界反応物質２０が形態変化である濁りを生じるとともに、屈折率も変化するので、導波光の散乱が多孔性膜１３０との界面でも生じ、大きな散乱角で散乱し、外部に強い出射光として出射するとともに、表示部５００の正面からも画素３５が明るく見えるようになる。
【実施例８】
【００５２】
図１１は、本発明のディスプレイ装置に関し、シート状で単色光用の光導波路１００をアレーとして配列した構造の光導波路アレーシート１２０を示す一実施例の概略図である。ここでは、単色光源として、例えば、青色ＬＥＤ光源からの光が入射単色光として、微小ミラーなどを介して光源光導波路１１０に入射した光が、そこに含まれる微粒子や液晶分子などの光導波路散乱体１０５により散乱されて光導波路１００への入射光となるカップリング光を放出しながら光源光導波路１１０を伝搬するので、減衰が激しく、光補給用光導波路１１１を設けて、光源光導波路１１０への光を補給している。これにより、表示部５００が一様に、かつ明るくすることができる。なお、図１１に示した実施例では、光補給用光導波路１１１を光源光導波路１１０側にだけ設けた場合であるが、光源光導波路１１０と光補給用光導波路１１１とを光導波路アレーシート１２０の反対側にも設けて、更に、明るい表示部５００にすることもできる。また、ＩＴＯなどの透明導電体薄膜の垂直選択線５０と、ここには図示しないが、光導波路１００の裏側には、水平選択線６０があり、これらがマトリックス状に配列して、それらの交点である領域は、テレビジョンなどの走査における光三原色の画素の単色分のセルとなるように、対電極に電圧が印加できるようにしている。この図１１では、選択する対電極の一方である透明電極３０ij（i行ｊ列）を示している。また、ここには図示しないが、光源光導波路１１０から散乱光として外部に出射されて損失となることを防ぐために、光源光導波路１１０を挟むように光反射膜を設けて、導波路内に戻し、有効にカップリング光になるようにすると良い。
【００５３】
上述の実施例では、簡単のために、垂直選択線５０と水平選択線６０との交わる領域を画素とする単純マトリックスを用いた駆動方式の場合であるが、薄膜トランジスタ（ＴＦＴ）アレーを介する公知のアクティブマトリックスを利用した駆動方式でもよい。
【００５４】
上記の実施例では、光源光導波路１１０に含まれる光導波路散乱体１０５を利用して、光導波路１００への入射光となるカップリング光を作っていたが、光導波路散乱体１０５を用いずに光源光導波路１１０内に形成した回折格子、光学レンズ系、微小ミラーなどでカップリング光を作ってもよい。
【００５５】
上記の実施例では、光補給用光導波路１１１を設けて、光源光導波路１１０への光を補給している場合を示したが、光補給用光導波路１１１は、必ずしも光源光導波路１１０への光を補給ばかりでなく、直接、光導波路１００のアレーに公知の方向性カプラーを用いて複数の箇所からカップリングするようにしてもよい。
【実施例９】
【００５６】
図１２は、本発明のディスプレイ装置に関し、上述の実施例４における図１１に示す単色光用の光導波路アレーシート１２０を、それぞれ光導波路アレーシート１２０ｂ、緑色用光導波路アレーシート１２０ｇ、赤色光導波路アレーシート１２０ｒとして、それぞれの所定の対電極の位置で、光三原色の画素が得られるように重ねるための一実施例を示す概念外略図である。  ここでは、それぞれの光導波路アレーシート１２０ｂ、１２０ｇ、１２０ｒに、それぞれ青色入射光（Ｂ）、緑色入射光（Ｇ）、赤色入射光（Ｒ）をそれぞれの色のＬＥＤの光源１５０から供給している様子を示している。また、各光源光導波路１１０ｂ、１１０ｇ、１１０ｒに導かれた各単色光は、各光導波路アレーシート１２０ｂ、１２０ｇ、１２０ｒの光導波路１００のアレーに導かれる。そして、マトリックス状に配列された対電極のうち、垂直選択線５０と水平選択線６０（ここでは省略している）で、選択された所望の三原色の画素のセルからそれぞれ青色散乱光、緑色散乱光、赤色散乱光が出射されている様子を示している。ここでは、その上に配される出射角調整層２００は、煩雑さを避けるために省略しているが、実際には、青色散乱光、緑色散乱光、赤色散乱光は、それぞれの光導波路アレーシート１２０ｂ、１２０ｇ、１２０ｒに形成された出射角調整層２００で、再度、散乱されて、観測者の目に入り、フルカラーディスプレイとして画像を見ることができる。なお、表示部５００の表面には、外部の光が出射角調整層２００で散乱されて、コントラストが下がらないように無反射膜２１０を形成しておいた方がよい。
【００５７】
また、それぞれの光導波路アレーシート１２０ｂ、１２０ｇ、１２０ｒにカップリングする光源１５０ｂ、１５０ｇ、１５０ｒとしてのＬＥＤやレーザダイオードは、上述の実施例の図では、省略しているが、各光源光導波路１１０ｂ、１１０ｇ、１１０ｒや光補給用光導波路１１１ｂ、１１１ｇ、１１１ｒに結合する光導波路内に設けた微小45度ミラーなどを利用して直接組み込むことができる。    
【００５８】
もちろん、フルカラーではなく、2色表示であれば、必要な単色光用の光導波路アレーシート１２０を2枚用意し、対応する箇所が同一の位置になるように重ねて、表示部５００を形成すればよい。
【００５９】
また、これらの光導波路アレーシート１２０を重ねても機械的強度が保てないときには、プラスチックシートを基板として用い保持した方が良い。
【実施例１０】
【００６０】
上述の実施例４と実施例５においては、単色光用の光導波路１００をアレーとして配列した構造の光導波路アレーシート１２０を独立に設けていたが、同一のシートに三原色のそれぞれの専用光導波路を交互に並べて形成し、それらの各光導波路１００ｂ、１００ｇ、１００ｒに、それぞれ対応する色のＬＥＤなどの光源からの光を導波させて、一枚の光導波路アレーのシートで、本発明者の先の発明（特願２００２−０４６８７６、ＰＣＴ／ＪＰ２００３／００１８６７、国際公開番号  ＷＯ２００３／０７１３４１）で示したように、フルカラー表示もできる。
【００６１】
上述の本発明のディスプレイ装置の実施例では、表示部５００のマトリックス状の対電極や対配線（垂直選択線５０と水平選択線６０の両方）、および、これらの駆動回路などは公知の技術であり図示しなかったが、対電極の配線は、光導波路１００外の場所まで延長させて、駆動回路や演算回路、メモリ回路と共に支持基板に形成することにより、公知の技術を用いてディスプレイ装置が提供できる。
【００６２】
上述の本発明のディスプレイ装置の対電極に電圧を印加する場合、実験によれば、必ずしも直流電圧でなくとも、直流電圧に交流電圧を重畳してもよく、更に、商用周波数の５０Ｈｚや６０Ｈｚ、更には３００Ｈｚ程度の交流電圧だけでも良い。
【００６３】
また、上述した実施例は、一実施例であり、本願発明の主旨、作用、効果が同一の各種の変形がありえることは言うまでもない。
【産業上の利用可能性】
【００６４】
本発明のディスプレイ装置は、ＬＥＤなどの単色光として小型で高効率の光源を使用し、しかも光導波路を通して界反応物質２０としての動的散乱モード液晶などで散乱させるが、更に、明るい画面がディスプレイ正面でも得られるように、光導波路の表面に形成した薄い出射角調整層の散乱層で再度、散乱させるようにした場合、電界印加用電極の対を重ねて並列接続し、小さな電圧で動作させるようにした場合であり、更に、多孔性膜に動的散乱モード液晶を入れて、散乱効率を高めた場合である。したがって、薄型で明るく、フレキシブルな表示部が形成できること、また、減衰した導波光を必要に応じて補充できるので、小型化はもちろんのこと、大画面で明るい表示部を持つ動画のディスプレイ装置、すなわち、極めて薄型のテレビジョンや動画の電子ペーパなどが提供できる。    
【図面の簡単な説明】
【００６５】
【図１】従来のディスプレイ装置の光三原色用の独立した光導波路１００ｒ、１００ｇ、１００ｂのうち、青色用の光導波路１００ｂを有するシート状の表示部５００の断面概略構造図を示す実施例である。（実施例１）
【図２】本発明のディスプレイ装置における光三原色用の独立した光導波路１００ｒ、１００ｇ、１００ｂのうち、青色用の光導波路１００ｂを有するシート状の表示部５００の断面概略構造図を示す一実施例である。（実施例１）
【図３】本発明のディスプレイ装置の表示部５００の光導波路１００に形成した出射角調整層２００付近の拡大した断面概略図を示す一実施例である。（実施例２）
【図４】本発明のディスプレイ装置の表示部５００のクラッド層１０３Aの表面に、シート状にした光散乱層を接着した場合の一実施例の概略図を示す。（実施例３）
【図５】本発明のディスプレイ装置の表示部５００の出射角調整層２００として、液晶を用いた場合の一実施例の概略図である。（実施例４）
【図６】本発明のディスプレイ装置の出射角調整層２００を半円球の凹凸からなる光散乱層とした場合で、その付近の拡大断面概略図を示す一実施例である。（実施例５）
【図７】本発明のディスプレイ装置において、対電極として複数対重なるように配置した場合の表示部５００の断面概略構造図を示す一実施例である。（実施例６）
【図８】本発明のディスプレイ装置において、対電極として複数対重なるように配置した場合の表示部５００の断面概略構造図を示す他の一実施例である。（実施例６）
【図９】本発明のディスプレイ装置において、多孔性膜１３０を有する表示部５００の断面概略構造図を示す一実施例である。（実施例７）
【図１０】本発明のディスプレイ装置において、多孔性膜１３０を有する表示部５００の断面概略構造図を示す他の一実施例である。（実施例７）
【図１１】本発明のディスプレイ装置の表示部５００の光導波路アレーシート１２０を示す他の一実施例の概略図である。（実施例８）
【図１２】本発明のディスプレイ装置の各単色光用の光導波路アレーシート１２０を光三原色の画素が得られるように重ねるための一実施例を示す概念図である。（実施例９）
【符号の説明】
【００６６】
２０  電界反応物質
３０、３０ｒ、３０ｇ、３０ｂ  透明電極
３５  画素
４０、４０ｂ  電極
５０  垂直選択線
５５  垂直選択線端子
６０  水平選択線
６５  水平選択線端子
１００  光導波路
１００ｂ  青色用光導波路
１００ｇ  緑色用光導波路
１００ｒ  赤色用光導波路
１０１Ａ、１０１Ｂ  コア層
１０２  電界反応物質を有する層
１０３A、１０３B  クラッド層
１０５  光導波路散乱体
１１０、１１０ｒ、１１０ｇ、１１０ｂ  光源光導波路
１１１，１１１ｒ、１１１ｇ、１１１ｂ  光補給用光導波路
１２０、１２０ｒ、１２０ｇ、１２０ｂ  光導波路アレーシート
１３０  多孔性膜
１３５  孔
１５０  光源
２００  出射角調整層
２１０  無反射膜
２５０  カバー
２３０  透明電極
３００  吸収膜
５００  表示部
【図１】
2007047723.tif 000003
【図２】
2007047723.tif 000004
【図３】
2007047723.tif 000005
【図４】
2007047723.tif 000006
【図５】
2007047723.tif 000007
【図６】
2007047723.tif 000008
【図７】
2007047723.tif 000009
【図８】
2007047723.tif 000010
【図９】
2007047723.tif 000011
【図１０】
2007047723.tif 000012
【図１１】
2007047723.tif 000013
【図１２】
2007047723.tif 000014